(57)【特許請求の範囲】
【請求項１】
トナー像を形成する形成部であって，
感光体と，
前記感光体の表面を帯電する帯電装置と，
前記感光体の表面に光を照射する露光装置と，
前記感光体にトナーを供給するトナー供給装置と，
前記感光体上のトナーを被転写材に転写させる転写装置と，
を備える前記形成部と，
記憶部と，
制御部と，
を備え，
前記制御部は，
前記形成部にてトナー像を形成させる形成処理と，
前記形成処理中に前記転写装置によりトナーを転写された被転写材の枚数，前記形成処理中の前記感光体の回転数，前記形成処理中の前記帯電装置の帯電時間及び前記形成処理中の前記露光装置の露光時間のうち少なくとも１つを印刷量としてカウントするカウント処理と，
前記帯電装置によって帯電させる前記感光体の目標表面電位に基づく基準帯電電圧と，前記カウント処理にてカウントされる前記印刷量に基づく補正値と，の加算値に基づいて，前記帯電装置に用いられる帯電電圧を設定する設定処理と，
を実行し，
前記設定処理では，
前記補正値として，前記カウント処理にてカウントされる前記印刷量に補正係数を乗算した値を用い，
前記補正係数として，前記カウント処理にてカウントされる前記印刷量が所定値よりも小さい場合は第１の補正係数を用い，前記カウント処理にてカウントされる前記印刷量が前記所定値よりも小さくない場合は，前記第１の補正係数よりも絶対値が小さい第２の補正係数を用いる，
ことを特徴とする画像形成装置。
【請求項２】
請求項１に記載する画像形成装置において，
前記制御部は，
前記形成部が前記露光装置による光の照射を行っていない期間である非形成期間が所定時間を超えたことを条件に含むリセット条件を満たした場合に，前記印刷量をリセットするリセット処理を実行することを特徴とする画像形成装置。
【請求項３】
請求項２に記載する画像形成装置において，
前記制御部は，
前記設定処理では，前記リセット処理が実行された後に前記帯電電圧を設定する場合，前記リセット処理が実行される前に用いた前回の前記第１の補正係数よりも絶対値が大きい値を，今回の前記第１の補正係数として用いることを特徴とする画像形成装置。
【請求項４】
請求項２または請求項３に記載する画像形成装置において，
前記制御部は，
前記設定処理では，前記リセット処理が実行された後に前記帯電電圧を設定する場合，前記リセット処理が実行される前に用いた前回の前記第２の補正係数よりも絶対値が大きい値を，今回の前記第２の補正係数として用いることを特徴とする画像形成装置。
【請求項５】
請求項１から請求項４のいずれか１つに記載する画像形成装置において，
前記制御部は，
前記形成部にてトナー像が形成される度に，前記印刷量の累積値である累積印刷量をカウントする累積カウント処理を実行し，
前記設定処理では，前記累積カウント処理にてカウントされる前記累積印刷量が大きいほど，前記基準帯電電圧として，絶対値が大きい値を用いることを特徴とする画像形成装置。
【請求項６】
請求項１から請求項５のいずれか１つに記載する画像形成装置において，
前記制御部は，
前記形成部にトナー像を形成させるジョブを受け付ける度に，前記設定処理を実行することを特徴とする画像形成装置。
【請求項７】
請求項１から請求項６のいずれか１つに記載する画像形成装置において，
前記形成部は，
前記感光体と接触し，前記感光体上のトナーを除去するクリーニング部材であって，前記感光体の回転に対してカウンター方向に当接されるブレードである前記クリーニング部材を備えることを特徴とする画像形成装置。
【請求項８】
トナー像を形成する形成部であって，
感光体と，
前記感光体の表面を帯電する帯電装置と，
前記感光体の表面に光を照射する露光装置と，
前記感光体にトナーを供給するトナー供給装置と，
前記感光体上のトナーを被転写材に転写させる転写装置と，
を備える前記形成部と，
記憶部と，
を備える画像形成装置の画像形成方法であって，
前記形成部にてトナー像が形成される度に，前記感光体の回転数，前記帯電装置の帯電時間及び前記露光装置の露光時間のうち少なくとも１つを印刷量としてカウントするカウントステップと，
前記カウントステップにてカウントされる前記印刷量を，前記記憶部に記憶する記憶ステップと，
前記帯電装置によって帯電させる前記感光体の目標表面電位に基づく基準帯電電圧と，前記カウントステップにてカウントされる前記印刷量に基づく補正値と，の加算値に基づいて，前記帯電装置に用いられる帯電電圧を設定する設定ステップと，
を含み，
前記設定ステップでは，
前記補正値として，前記カウントステップにてカウントされる前記印刷量に補正係数を乗算した値を用い，
前記補正係数として，前記カウントステップにてカウントされる前記印刷量が所定値よりも小さい場合は第１の補正係数を用い，前記カウントステップにてカウントされる前記印刷量が前記所定値よりも小さくない場合は，前記第１の補正係数よりも絶対値が小さい第２の補正係数を用いる，
ことを特徴とする画像形成方法。
【請求項９】
トナー像を形成する形成部であって，
感光体と，
前記感光体の表面を帯電する帯電装置と，
前記感光体の表面に光を照射する露光装置と，
前記感光体にトナーを供給するトナー供給装置と，
前記感光体上のトナーを被転写材に転写させる転写装置と，
を備える前記形成部と，
記憶部と，
を備える画像形成装置に，
前記形成部にてトナー像を形成させる形成処理と，
前記形成処理中に前記転写装置によりトナーを転写された被転写材の枚数，前記形成処理中の前記感光体の回転数，前記形成処理中の前記帯電装置の帯電時間及び前記形成処理中の前記露光装置の露光時間のうち少なくとも１つを印刷量としてカウントするカウント処理と，
前記帯電装置によって帯電させる前記感光体の目標表面電位に基づく基準帯電電圧と，前記カウント処理にてカウントされる前記印刷量に基づく補正値と，の加算値に基づいて，前記帯電装置に用いられる帯電電圧を設定する設定処理と，
を実行させ，
前記設定処理では，
前記補正値として，前記カウント処理にてカウントされる前記印刷量に補正係数を乗算した値を用い，
前記補正係数として，前記カウント処理にてカウントされる前記印刷量が所定値よりも小さい場合は第１の補正係数を用い，前記カウント処理にてカウントされる前記印刷量が前記所定値よりも小さくない場合は，前記第１の補正係数よりも絶対値が小さい第２の補正係数を用いる，
ることを特徴とするプログラム。
【発明の詳細な説明】
【技術分野】
【０００１】
本発明は，電子写真方式によって画像を形成する画像形成装置，画像形成方法，およびプログラムに関する。さらに詳細には，画像形成装置における帯電制御に関するものである。
【背景技術】
【０００２】
従来から，感光体上にトナー像を形成する電子写真方式の画像形成装置では，画質低下を防ぐための各種の制御が提案されている。例えば，特許文献１には，感光体の帯電特性の経時変化に対応するための構成として，あらかじめ帯電電圧と感光体の表面電位との関係から感光体の帯電特性の経時変化の程度を求め，経時変化の程度に応じて帯電電圧を変化させる構成が開示されている。
【先行技術文献】
【特許文献】
【０００３】
【特許文献１】特開平０２−８７１７６号公報
【発明の概要】
【発明が解決しようとする課題】
【０００４】
しかしながら，前記した従来の技術には，次のような問題があった。すなわち，感光体には，感光体の表面に達していない電荷である残留電荷が存在する。この残留電荷が，帯電装置によって帯電された感光体の表面の電荷の一部を相殺し，感光体の表面電位を目標電位よりも低くすることがある。この表面電位の低下が濃度差やかぶり等の画質低下の要因となる。特に連続してトナー像を形成する場合，露光後の残留電荷が多くなるため，画質低下の問題となる。
【０００５】
本発明は，前記した従来の装置が有する問題点を解決するためになされたものである。すなわちその課題とするところは，電子写真方式によって画像を形成する画像形成装置であって，残留電荷による感光体の表面電位の低下に起因する画質低下を抑制する技術を提供することにある。
【課題を解決するための手段】
【０００６】
この課題の解決を目的としてなされた画像形成装置は，トナー像を形成する形成部であって，感光体と，前記感光体の表面を帯電する帯電装置と，前記感光体の表面に光を照射する露光装置と，前記感光体にトナーを供給するトナー供給装置と，前記感光体上のトナーを被転写材に転写させる転写装置と，を備える前記形成部と，記憶部と，制御部と，を備え，前記制御部は，前記形成部にてトナー像を形成させる形成処理と，前記形成処理中に前記転写装置によりトナーを転写された被転写材の枚数，前記形成処理中の前記感光体の回転数，前記形成処理中の前記帯電装置の帯電時間及び前記形成処理中の前記露光装置の露光時間のうち少なくとも１つを印刷量としてカウントするカウント処理と，前記帯電装置によって帯電させる前記感光体の目標表面電位に基づく基準帯電電圧と，前記カウント処理にてカウントされる前記印刷量に基づく補正値と，の加算値に基づいて，前記帯電装置に用いられる帯電電圧を設定する設定処理と，を実行することを特徴としている。
【０００７】
印刷量が多いほど露光回数も多く，残留電荷が多くなる傾向にある。そして，残留電荷が多いほど，帯電装置によって帯電された電荷のうち残留電荷によってキャンセルされる電荷が多くなる。そのため，本明細書に開示される画像形成装置は，帯電装置によって帯電させる感光体の目標表面電位に基づく基準帯電電圧と，印刷量に基づく補正値との加算値に基づいて，帯電装置に用いられる帯電電圧を設定する。このような帯電電圧を用いることで，帯電後の感光体上の電荷の一部が残留電荷によってキャンセルされたとしても，感光体の表面電位を目標電位に保つことが期待できる。
【０００８】
また，前記制御部は，前記形成部が前記露光装置による光の照射を行っていない期間である非形成期間が所定時間を超えたことを条件に含むリセット条件を満たした場合に，前記印刷量をリセットするリセット処理を実行するとよい。残留電荷は非形成期間中に徐々に消滅していくことから，非形成期間が長くなった場合には，印刷量をリセットし，加算される補正値の絶対値を小さくすることで，形成部の稼働状況に応じて感光体の表面電位を目標電位に保つことが期待できる。なお，リセット条件は，非形成期間が所定時間を超えたことを含んでいればよく，他の条件を組み合わせてもよい。
【０００９】
また，前記制御部は，前記設定処理では，前記補正値として，前記カウント処理にてカウントされる前記印刷量に補正係数を乗算した値を用い，前記補正係数として，前記カウント処理にてカウントされる前記印刷量が所定値よりも小さい場合は第１の補正係数を用い，前記カウント処理にてカウントされる前記印刷量が前記所定値よりも小さくない場合は，前記第１の補正係数よりも絶対値が小さい第２の補正係数を用いるとよい。印刷量が所定値を超えると，印刷量の増加に対する感光体の表面電位の低下幅が少なくなる傾向にある。そのため，印刷量が所定値を超えた後は，補正係数の絶対値を小さくして補正値の増加量を抑える方が好ましい。
【００１０】
また，前記制御部は，前記設定処理では，前記リセット処理が実行された後に前記帯電電圧を設定する場合，前記リセット処理が実行される前に用いた前回の前記第１の補正係数よりも絶対値が大きい値を，今回の前記第１の補正係数として用いるとよい。感光体の経時変化に伴って，同じ帯電電圧を用いたとしても，感光体の表面電位の絶対値が小さくなる傾向にある。そのため，印刷量がリセットされた後は，前回よりも，補正係数の絶対値を大きくする方が好ましい。
【００１１】
また，前記制御部は，前記設定処理では，前記リセット処理が実行された後に前記帯電電圧を設定する場合，前記リセット処理が実行される前に用いた前回の前記第２の補正係数よりも絶対値が大きい値を，今回の前記第２の補正係数として用いるとよい。感光体の経時変化に伴って，同じ帯電電圧を用いたとしても，感光体の表面電位の絶対値が小さくなる傾向にある。そのため，印刷量がリセットされた後は，前回よりも，補正係数の絶対値を大きくする方が好ましい。
【００１２】
また，前記制御部は，前記形成部にてトナー像が形成される度に，前記印刷量の累積値である累積印刷量をカウントする累積カウント処理を実行し，前記設定処理では，前記累積カウント処理にてカウントされる前記累積印刷量が大きいほど，前記基準帯電電圧として，絶対値が大きい値を用いるとよい。新品時からトナー像を形成した数が多いほど，経時変化に伴う感光体の帯電特性の劣化が生じる。そのため，非形成期間によってリセットされる印刷量とは別に，印刷量の累積値である累積印刷量を用い，累積印刷量が大きいほど，基準表面電位の絶対値を大きい値とする方が好ましい。
【００１３】
また，前記制御部は，前記形成部にトナー像を形成させるジョブを受け付ける度に，前記設定処理を実行するとよい。ジョブ単位で帯電電圧を設定する方が，シート単位で帯電電圧を設定する場合と比較して，制御がシンプルである。
【００１４】
また，前記形成部は，前記感光体と接触し，前記感光体上のトナーを除去するクリーニング部材であって，前記感光体の回転に対してカウンター方向に当接されるブレードである前記クリーニング部材を備えるとよい。ブレードを感光体に接触させる構成では，摩擦熱が生じ易く，感光体内で電荷が生じ易い。そのため，残留電荷が多くなり易く，本発明が好適に作用する。
【００１５】
上記画像形成装置の機能を実現するための画像形成方法，コンピュータプログラム，および当該コンピュータプログラムを格納するコンピュータ読取可能な記憶媒体も，新規で有用である。
【発明の効果】
【００１６】
本発明によれば，電子写真方式によって画像を形成する画像形成装置であって，残留電荷による感光体の表面電位の低下に起因する画質低下を抑制する技術が実現される。
【図面の簡単な説明】
【００１７】
【図１】実施の形態にかかるプリンタの概略構成を示す断面図である。
【図２】プリンタの感光体を示す説明図である。
【図３】プリンタの電気的構成を示すブロック図である。
【図４】感光体内部での電荷の移動を示す説明図である。
【図５】プリンタの枚数監視処理の手順を示すフローチャートである。
【図６】プリンタの印刷処理の手順を示すフローチャートである。
【図７】プリンタの帯電制御処理の手順を示すフローチャートである。
【図８】連続印刷枚数と感光体表面電位との関係を示すグラフである。
【図９】累積印刷枚数と感光体表面電位との関係を示すグラフである。
【発明を実施するための形態】
【００１８】
以下，本発明にかかる画像形成装置を具体化した実施の形態について，添付図面を参照しつつ詳細に説明する。本形態は，画像形成機能を備えたプリンタに本発明を適用したものである。
【００１９】
本形態のプリンタ１００は，被転写材としてのシートに，電子写真方式によってカラー画像を形成するカラープリンタである。プリンタ１００は，図１に示すように，トナー像を形成してシートに転写するプロセス部５と，プロセス部５を通ってシートを搬送する搬送ベルト７と，シート上の未定着のトナーを定着させる定着装置８とを備えている。さらに，プリンタ１００は，トナー像転写前のシートを載置する給紙トレイ９１と，画像形成後のシートを載置する排紙トレイ９２とを備えている。
【００２０】
また，プリンタ１００には，図１中に一点鎖線で示すように，略Ｓ字形状のシートの経路である搬送路１１が設けられている。そして，プリンタ１００は，搬送路１１に沿ってシートを搬送するための給紙ローラ２１と，レジストローラ２２と，排紙ローラ２３とを備えている。つまり，プリンタ１００は，給紙トレイ９１に収容されているシートの１枚を，給紙ローラ２１，レジストローラ２２，搬送ベルト７，排紙ローラ２３等を用いて，搬送路１１に沿って搬送させ，排紙トレイ９２へ排出する。
【００２１】
また，プリンタ１００のプロセス部５には，各色のトナー像を形成するための構成が設けられている。具体的に，図１に示すように，プロセス部５には，ブラック色のプロセス部５０Ｋ，イエロー色のプロセス部５０Ｙ，マゼンタ色のプロセス部５０Ｍ，シアン色のプロセス部５０Ｃが，搬送ベルト７の進行方向に沿って，等間隔に並んで配置されている。なお，各色のプロセス部の並び順は，図１に示した例に限定するものではない。
【００２２】
ブラック色のプロセス部５０Ｋは，図１に示すように，ドラム状の感光体５１と，感光体５１の周囲に配置された，帯電装置５２と，現像装置５４と，転写装置５５と，クリーナ５６とを有している。他色のプロセス部５０Ｃ，５０Ｍ，５０Ｙはいずれも，トナーの色以外は，ブラック色のプロセス部５０Ｋと同様の構成である。さらに，プロセス部５は，各色のプロセス部５０Ｙ，５０Ｍ，５０Ｃ，５０Ｋに共通の構成として，露光装置５３を有している。感光体５１は，感光体の一例であり，帯電装置５２は，帯電装置の一例であり，現像装置５４は，トナー供給装置の一例であり，転写装置５５は，転写装置の一例であり，クリーナ５６は，接触部材の一例であり，露光装置５３は，露光装置の一例である。
【００２３】
プリンタ１００の感光体５１は，図２に断面の一部を模式的に示すように，金属芯５１１と，金属芯５１１の周囲に形成された有機感光層５１２とを有している。つまり，図２中の下側に示した金属芯５１１は感光体５１の中心部であり，図２中の上側に示した有機感光層５１２は感光体５１の表面側の全周に設けられている。金属芯５１１は，例えば，アルミ製のパイプであり，電気的に接地されている。有機感光層５１２には，電荷発生剤５１３と電荷輸送剤５１４とが，分散している。
【００２４】
なお，本形態のプリンタ１００では，有機感光層５１２として，例えば，ポリカーボネート類を基材として，フタロシアニン類を主成分とする電荷発生剤５１３と，アゾキノン類，アリールアミン類を主成分とする電荷輸送剤５１４とを含み，感光体５１の径方向に厚さ３０μｍのものを用いている。なお，例示した材料は，これらに限定するものではなく，トナーの種類等に応じて適宜選択すればよい。有機感光層５１２についての詳細は後述する。
【００２５】
帯電装置５２は，ワイヤとグリッドとを備えるスコロトロン方式の帯電器であり，放電によって感光体５１の表面を帯電する。これにより，感光体５１の表面がほぼ一様に電荷を帯びる。なお，以下では，帯電装置５２のグリッドに印加するグリッド電圧を帯電電圧とする。また，帯電装置５２のワイヤに流すワイヤ電流を帯電電流とする。また，感光体５１の表面のうち，帯電装置５２に向かい合っている範囲であって，帯電装置５２と向かい合っている時点での帯電装置５２の放電による電荷を受ける範囲を帯電範囲とする。帯電範囲は，感光体５１の回転により，感光体５１の表面上を移動する。
【００２６】
露光装置５３は，レーザ露光方式の露光装置であり，帯電された感光体５１の表面に画像データに基づいてレーザ光を照射する。これにより，感光体５１の表面上に印刷データに基づいた静電潜像が形成される。露光についての詳細は後述する。
【００２７】
現像装置５４は，トナーを収容しており，トナーを帯電させて，現像ローラ５４１に供給する。また，現像装置５４は，現像ローラ５４１に所定の電圧を印加し，現像ローラ５４１の電位と感光体５１上の静電潜像の電位との電位差を設けることで，帯電させたトナーを感光体５１上の静電潜像に供給する。これにより，感光体５１上にトナー像が形成される。転写装置５５は，搬送ベルト７を挟んで感光体５１と平行に配置されている。転写装置５５は，転写電流が流されることで電気的に感光体５１上のトナー像を引き寄せ，搬送ベルト７にて搬送中のシートに転写する。
【００２８】
クリーナ５６は，クリーニングブレードであり，一端部が感光体５１に接触して，転写後に感光体５１上に残るトナーを掻き取ることで除去する。なお，クリーナ５６は，感光体５１の回転に対してカウンター方向に当接されている。例えば，図１では，感光体５１は図中で時計回り方向に回転され，クリーナ５６は，感光体５１との接触箇所にて，感光体５１の表面の進行方向に対して逆向きの成分を含む方向に押し当てられている。
【００２９】
なお，本形態のプリンタ１００は，正帯電性の１成分トナーを使用して画像を形成する。つまり，印刷の実行時に，感光体５１の表面は，帯電装置５２にて正帯電される。次に，露光装置５３にて感光体５１の表面の一部が露光されることで，当該一部の電位が低下する。現像装置５４に収容されているトナーは，現像装置５４にて正極性に帯電され，感光体５１の電位が低下した箇所に移動する。
【００３０】
また，印刷の実行時に，プリンタ１００は，給紙トレイ９１に載置されているシートを１枚ずつ取り出し，そのシートを搬送ベルト７上に搬送する。転写装置５５は，転写電流によって負電位とされ，シートの搬送とタイミングを合わせて，感光体５１上のトナーを引き寄せる。これにより，シートにトナー像が転写される。
【００３１】
カラー画像を印刷する場合には，プリンタ１００は，プロセス部５にて，感光体５１に形成された各色のトナー像を，シートに重ねて順次転写する。モノクロ画像を印刷する場合には，プリンタ１００は，ブラック色のプロセス部５０Ｋのみを動作させる。その後，プリンタ１００は，トナー像が転写されたシートを定着装置８に搬送し，トナー像をそのシートに熱定着させる。そして，定着後のシートを排紙トレイ９２に排出する。
【００３２】
続いて，プリンタ１００の電気的構成について説明する。本形態のプリンタ１００は，図３に示すように，ＣＰＵ３１と，ＲＯＭ３２と，ＲＡＭ３３と，ＮＶＲＡＭ（不揮発性ＲＡＭ）３４とを含むコントローラ３０を備えている。また，プリンタ１００は，プロセス部５と，ネットワークインターフェース３７と，ＵＳＢインターフェース３８と，操作パネル４０とを備え，これらがコントローラ３０に電気的に接続されている。なお，図１中のコントローラ３０は，ＣＰＵ３１等，プリンタ１００の制御に利用されるハードウェアを纏めた総称であって，実際にプリンタ１００に存在する単一のハードウェアを表すとは限らない。
【００３３】
ＲＯＭ３２には，プリンタ１００を制御するための制御プログラムであるファームウェアや各種設定，初期値等が記憶されている。ＲＡＭ３３は，各種制御プログラムが読み出される作業領域として，あるいは画像データを一時的に記憶する記憶領域として利用される。ＣＰＵ３１は，ＲＯＭ３２から読み出した制御プログラムや各種センサから送られる信号に従って，その処理結果をＲＡＭ３３またはＮＶＲＡＭ３４に記憶させながら，プリンタ１００の各構成要素を制御する。ＣＰＵ３１は，制御部の一例である。なお，コントローラ３０が制御部であってもよい。ＮＶＲＡＭ３４は，記憶部の一例である。
【００３４】
ネットワークインターフェース３７は，ＬＡＮケーブル等を用いてネットワークを介して接続された装置と通信を行うためのハードウェアである。ＵＳＢインターフェース３８は，ＵＳＢケーブル等を介して接続された装置と通信を行うためのハードウェアである。また，操作パネル４０は，ユーザに対する報知の表示と，ユーザによる指示入力の受け付けとを担うハードウェアである。操作パネル４０は，例えば，液晶ディスプレイと，スタートキー，ストップキー，テンキー等から構成されるボタン群とを備える。
【００３５】
続いて，プリンタ１００における帯電電圧の設定方法について説明する。本形態のプリンタ１００において，帯電後で露光前の感光体５１に表面電位が部分的に低下した箇所があると，低下した箇所の電位は，露光後の静電潜像の箇所の電位との差が小さい。その一方，帯電したトナーの帯電量にもばらつきがあるため，帯電量の大きなトナーは，表面電位が低下した箇所であって静電潜像ではない箇所へ移動する可能性がある。そして，感光体５１の表面のうち，静電潜像以外の箇所にトナーが付着すると，例えば，一定幅の直線を形成したいにもかかわらず部分的に幅の広い直線となってしまうことがあり，画像品質の低下を招く可能性がある。そこで，画像品質の低下を抑制するためには，現像直前の位置における感光体５１の表面電位が，ばらつきの少ない安定した電位となっていることが望まれる。
【００３６】
感光体５１は，図２に示したように，電荷発生剤５１３と電荷輸送剤５１４とを含む有機感光層５１２を有している。電荷発生剤５１３は，光や熱等のエネルギーを受けて，プラス電荷とマイナス電荷とを発生させる。発生した電荷は，電荷輸送剤５１４によって運ばれ，有機感光層５１２の内部を移動する。つまり，感光体５１の表面と金属芯５１１との間の電位差により，プラス電荷とマイナス電荷とは別々に分かれて，感光体５１の中心側と表面側とにそれぞれ移動する。
【００３７】
例えば，感光体５１の表面が金属芯５１１のレベルに対して正電位となっている状態では，図２に示したように，発生した電荷のうちの，マイナス電荷は感光体５１の表面へ向かって移動し，プラス電荷は金属芯５１１へ向かって移動する。感光体５１の表面電位が高いほど，マイナス電荷を引きつける力が大きく，マイナス電荷の移動速度は速い。そして，感光体５１の表面にマイナス電荷が到達すると，感光体５１の表面の正の電荷と結びついて電荷が相殺される。その結果，その箇所の電位が低下する。
【００３８】
また，本形態のプリンタ１００は，前述したように，正帯電性のトナーを使用するため，帯電装置５２は感光体５１の表面を正極性に帯電させる。露光時には，露光装置５３から発生されるレーザ光のエネルギーによって，有機感光層５１２に電荷が発生する。帯電によって感光体５１の表面は正電位となっているので，発生した電荷のうちのマイナス電荷が，感光体５１の表面に引き寄せられて，その箇所の感光体５１の表面電位を低下させる。これにより，感光体５１の表面に静電潜像が形成される。そして，現像装置５４は，正帯電させたトナーにて，電位が低下した静電潜像の部分を現像する。
【００３９】
本形態のプリンタ１００では，前述したように，感光体５１の表面にクリーナ５６が接触している。特に，本形態のプリンタ１００は，クリーナ５６として接触タイプのブレード部材を使用し，クリーナ５６を感光体５１の表面に圧接している。そのため，感光体５１とクリーナ５６との接触箇所にて摩擦熱が発生する。そして，図４（Ａ）に示すように，この摩擦熱のエネルギーを受けて，感光体５１の有機感光層５１２内で電荷が発生する場合がある。
【００４０】
クリーナ５６との接触箇所にて発生した電荷も，前述した露光によるものと同様に移動する。つまり，図４（Ｂ）に示すように，発生した電荷のうちのマイナス電荷は，正帯電している感光体５１の表面側に向かって移動する。さらに，感光体５１の表面に到達したマイナス電荷は，図４（Ｂ）中に破線で囲んで示すように，感光体表面のプラス電荷と結びついて当該プラス電荷を相殺し，その部分の感光体５１の電位を低下させる。プリンタ１００では，有機感光層５１２の層内で発生し，感光体の表面等に達していない残留電荷のうち，マイナス電荷が感光体５１の電位低下の一因となっている。以下では，感光体５１の内部に残留する残留電荷のうち，帯電極性と逆極性の電荷を，単に，「残留電荷」とする。
【００４１】
この残留電荷による感光体５１の表面電位の相殺が，帯電後で現像前の位置で発生すると，印刷濃度に影響を与える可能性がある。例えば，図４（Ｃ）に示すように，帯電後の位置で，残留電荷が感光体５１の表面に到達した場合，その箇所の感光体５１の電位が低下する。なお，この図４に示した部分の感光体５１は，回転により図中で右方向へ移動している。帯電範囲で残留電荷が多い場合には，帯電後に感光体５１の表面に到達する残留電荷が多い可能性が高い。本形態のプリンタ１００は，帯電後に残留電荷によって相殺されても，感光体５１の表面電位が所定の目標表面電位以上となるように，帯電電圧を制御する。
【００４２】
なお，プリンタ１００におけるクリーナ５６と感光体５１との接触箇所は，転写後であって帯電前の位置である。そのため，クリーナ５６の摩擦熱によって発生した電荷のうちのマイナス極性の電荷は，帯電範囲で残留電荷となる可能性がある。特に，電荷の発生量が多かったり，発生後のマイナス電荷の移動速度が遅かったりすると，帯電範囲で残留電荷が多くなる可能性が高い。
【００４３】
プリンタ１００では，連続して印刷することにより，感光体５１の内部の残留電荷の量が増加する。これは，露光やクリーナ５６等にて電荷の発生が連続しておきるため，電荷の発生量が，感光体５１の表面等に移動して相殺される量よりも多いためであると推測される。その結果として，帯電後における，残留電荷による感光体５１の表面電位の低下幅が大きくなっている。そのため，プリンタ１００では，印刷量をカウントし，印刷量に基づいて帯電電圧を補正する。
【００４４】
印刷量は，例えば，感光体５１の回転数，帯電装置５２の帯電時間及び露光装置５３の露光時間のうち少なくとも１つ，または，これらに換算できる数である。本形態では，印刷量として，Ａ４サイズのシートへの印刷枚数を使用する。例えば，感光体５１の回転数は，Ａ４サイズのシートへの印刷枚数に基づいて算出することができる。
【００４５】
具体的に，プリンタ１００の帯電電圧は，新品基準帯電電圧と補正値との加算値に基づいて取得される。新品基準帯電電圧は，例えば，新品の感光体５１を目標表面電位に帯電するための帯電電圧である。プリンタ１００は，装置内の温度や湿度，印刷設定等に基づいて，新品基準帯電電圧を決定する。以下では，新品基準帯電電圧をＶ０とする。なお，前述したように，本形態のプリンタ１００では，帯電電圧は正値であり，帯電電圧を補正する各補正値も正値である。
【００４６】
一方，補正値は，印刷量に依存する値である。本形態のプリンタ１００は，印刷量として，連続印刷枚数ｍ１と感光体５１の新品からの累積印刷枚数ｍ２とをカウントし，両カウント値をＮＶＲＡＭ３４に記憶する。本形態では，前回の印刷からの経過時間が所定期間以内である印刷を連続印刷とし，連続印刷にて印刷した枚数を連続印刷枚数ｍ１とする。プリンタ１００は，記憶している連続印刷枚数ｍ１または累積印刷枚数ｍ２が多いほど，補正値を大きい値とする。
【００４７】
続いて，前述した各印刷枚数に応じた帯電制御を行うプリンタ１００の動作を実現する枚数監視処理の手順について，図５のフローチャートを参照しつつ説明する。この枚数監視処理は，プリンタ１００の電源オンを契機にＣＰＵ３１によって実行される。
【００４８】
枚数監視処理では，プリンタ１００は，まず，印刷停止期間をクリアする（Ｓ１０１）。印刷停止期間は，印刷を実行していない期間である。印刷停止期間については，後述する。さらに，プリンタ１００は，連続印刷枚数ｍ１をクリアする（Ｓ１０２）。プリンタ１００では，電源オフの期間を取得していないので，電源オン時には，それまでの印刷停止期間を取得できない。プリンタ１００は，Ｓ１０２では，電源オフの期間が所定期間を超えていると見なして印刷量をリセットする。Ｓ１０２は，リセット処理の一例である。なお，連続印刷枚数ｍ１は，ＲＡＭ３３に記憶してもよく，その場合はＳ１０２を省略する。
【００４９】
そして，プリンタ１００は，電源オフの指示を受け付けたか否かを判断する（Ｓ１０３）。プリンタ１００は，電源オフの指示を受け付けたと判断したことに応じて（Ｓ１０３：ＹＥＳ），枚数監視処理を終了する。
【００５０】
電源オフを受け付けていないと判断したことに応じて（Ｓ１０３：ＮＯ），プリンタ１００は，印刷ジョブを受け付けたか否かを判断する（Ｓ１０５）。印刷ジョブを受け付けたと判断したことに応じて（Ｓ１０５：ＹＥＳ），プリンタ１００は，印刷停止期間をクリアする（Ｓ１０７）。さらに，プリンタ１００は，印刷処理を実行する（Ｓ１０８）。
【００５１】
次に，枚数監視処理のＳ１０８にて実行される印刷処理の手順について，図６のフローチャートを参照しつつ説明する。印刷処理では，プリンタ１００は，まず，定着装置８のウォームアップおよび各部の印刷準備動作を開始する（Ｓ２０１）。さらに，プリンタ１００は，帯電装置５２に印加する帯電電圧を決定するための帯電制御処理を実行する（Ｓ２０２）。帯電制御処理は，設定ステップ及び設定処理の一例である。
【００５２】
次に，印刷処理のＳ２０２にてプリンタ１００の帯電電圧を決定する帯電制御処理の手順について，図７のフローチャートを参照しつつ説明する。帯電制御処理では，プリンタ１００は，まず，新品の感光体５１に適用される帯電電圧である新品基準帯電電圧Ｖ０を取得する（Ｓ３０１）。プリンタ１００は，例えば，目標表面電位，装置内の温度や湿度，印刷設定等に基づいて，新品基準帯電電圧Ｖ０を決定する。
【００５３】
そして，プリンタ１００は，ＮＶＲＡＭ３４から，連続印刷枚数ｍ１と累積印刷枚数ｍ２とを読み出す（Ｓ３０３）。連続印刷枚数ｍ１は，前述したように，所定期間以上の時間間隔を空けずにほぼ連続してこの時点までに印刷された印刷枚数である。累積印刷枚数ｍ２は，感光体５１を用いて，新品時からこの時点までに印刷された累積の印刷枚数である。プリンタ１００は，感光体５１が新品に交換された場合，累積印刷枚数ｍ２をリセットする。連続印刷枚数ｍ１は，印刷量の一例である。累積印刷枚数ｍ２は，累積印刷量の一例である。
【００５４】
プリンタ１００にて，帯電装置５２での帯電電圧を所定の帯電電圧として，印刷を行った場合の感光体５１の表面電位は，連続印刷枚数ｍ１や累積印刷枚数ｍ２の増加につれて次第に低下する。しかし，表面電位は，枚数の増加に対して直線的に低下するわけではない。例えば，図８に示すように，連続印刷枚数ｍ１が所定枚数Ｑを超えると，所定枚数Ｑまでの場合よりも，印刷枚数の増加に対する表面電位の低下幅が減少する。所定枚数Ｑは，所定量の印刷量の一例である。
【００５５】
図８は，２０００枚の印字を連続して行った場合の，印刷枚数に対する感光体５１の表面電位の測定結果の例を示すグラフである。同様の実験を繰り返すことで，プリンタ１００では，連続印刷の開始後，５００〜１０００枚の印刷後に，印刷枚数の増加に対する表面電位の低下幅が減少することがわかった。具体的に，帯電後の感光体５１の表面電位は，図８に示すように，連続印刷枚数ｍ１が所定枚数Ｑ未満では直線Ｌ１，連続印刷枚数ｍ１が所定枚数Ｑを超えると直線Ｌ２に沿って低下する。直線Ｌ２は，直線Ｌ１よりも傾きの絶対値が小さい直線である。
【００５６】
なお，連続印刷枚数ｍ１の増加に対する表面電位の増加量の傾きが変化する原因として，例えば，オゾンの影響の可能性がある。電子写真方式のプリンタ１００にて印刷を実行すると，プリンタ１００の内部でオゾンが発生する。オゾンは，分解しやすい不安定な分子であり，酸素と酸素イオンとに分解する。そして，発生した酸素イオンは，強酸性であるため，感光体５１の表面近くに位置する電荷輸送剤５１４を化学劣化させ，電荷輸送剤５１４の輸送機能を低下させる。一方，酸素イオンによる化学劣化は，感光体５１の表面近くにしか及ばず，表面近くに位置する電荷輸送剤５１４のほとんどが化学劣化した後は，輸送機能の低下の程度は小さくなると推測される。そのため，ある程度以上連続して印刷すると，オゾンによる感光体５１の表面電位の低下幅は小さくなると推測される。なお，所定枚数Ｑの値は，感光体５１の材質やサイズによって適宜選択される。
【００５７】
また，プリンタ１００では，印刷を実行しない期間である印刷停止期間を所定期間以上設けることで，帯電装置５２での帯電電圧を所定の帯電電圧とした場合の感光体５１の表面電位は，印刷停止前よりも大きくなる。例えば，図９に示すように，連続印刷と所定期間の印刷停止とを繰り返すと，連続印刷中には感光体５１の表面電位は低下し続け，印刷停止期間の後には停止前よりも回復する。図９は，連続した２０００枚の印字と，１０時間以上の印刷停止期間とを繰り返した場合の，累積印刷枚数ｍ２に対する感光体５１の表面電位の測定結果の例を示すグラフである。
【００５８】
これは，新たな残留電荷が発生しない印刷停止期間中に，感光体５１の内部の残留電荷の多くが，感光体５１の表面に移動して表面電荷と相殺されることにより，感光体５１の内部の残留電荷が少なくなるためであると推測される。印刷停止期間は，帯電装置５２による帯電処理を行っていない期間であり，露光装置５３による光の照射を行っていない期間である。印刷停止期間は，非形成期間の一例であり，所定期間は，所定時間の一例である。
【００５９】
しかし，印刷停止期間の後の最初の印刷における感光体５１の表面電位は，累積印刷枚数ｍ２に応じて低下する。これは，帯電処理を繰り返すことで，感光体５１の帯電性能が低下するためであると推測される。具体的に，図９に示すように，累積印刷枚数ｍ２に対する印刷停止期間後の感光体５１の表面電位は，直線Ｌ３に沿って低下する。図９の例と同様の実験を繰り返すことで，例えば，印刷停止期間が５時間程度の所定期間以上であれば，完全に回復するまでには至らないまでも，ほぼ直線Ｌ３の位置まで回復することが分かった。一方，１０分程度の印刷停止でも，ある程度は回復することも分かった。
【００６０】
さらに，図９に示すように，所定時間以上の印刷を停止した後，連続印刷を開始してからの印刷枚数の増加に対する表面電位の低下幅は，累積印刷枚数ｍ２に応じて次第に大きくなる。つまり，前述した直線Ｌ１と直線Ｌ２との傾きは，固定値ではなく，累積印刷枚数ｍ２に応じて次第に大きくなる。これは，累積印刷枚数ｍ２が多くなるにつれて，感光体５１が，その内部に残留電荷が多くなるからであると推測される。
【００６１】
前述した測定結果を踏まえ，プリンタ１００では，直線Ｌ１の傾きの絶対値を係数ｋ１，直線Ｌ２の傾きの絶対値を係数ｋ２，直線Ｌ３の傾きの絶対値を係数ｋ３とする。ただし，前述したように，係数ｋ１は係数ｋ２よりも大きく，また，係数ｋ１と係数ｋ２とは，累積印刷枚数ｍ２に応じて変化し，いずれも，累積印刷枚数ｍ２が多いほど大きい値である。図９に示すように，例えば，印刷停止期間の前後の連続印刷を比較すると，前回の連続印刷での係数ｋ１よりも，今回の連続印刷での係数ｋ１の方が大きい。また，前回の連続印刷での係数ｋ２よりも，今回の連続印刷での係数ｋ２の方が大きい。一方，係数ｋ３は，感光体５１の種類等に応じた固定値であり，予めＲＯＭ３２に記憶されている。
【００６２】
プリンタ１００では，連続印刷枚数ｍ１と累積印刷枚数ｍ２とから，表面電位の低下を補う補正値を算出し，算出結果に基づいて，印加する帯電電圧を決定する。つまり，プリンタ１００は，前述した表面電位の低下を補うために，低下幅に見合うだけ絶対値の大きい帯電電圧を印加する。
【００６３】
そこで，帯電制御処理では，プリンタ１００は，Ｓ３０３にて読み出した連続印刷枚数ｍ１と累積印刷枚数ｍ２とを使用して，新品基準帯電電圧Ｖ０を補正するための各種の補正値を求める。まず，プリンタ１００は，以下の（式１）によって，第１補正値α１を取得する（Ｓ３０４）。
α１  ＝  ｋ３×（ｍ２−ｍ１）    …  （式１）
第１補正値α１は，今回の連続印刷の開始時における補正値である。（式１）中の（ｍ２−ｍ１）は，今回の連続印刷の開始時における累積印刷枚数である。
【００６４】
そして，プリンタ１００は，Ｓ３０１にて取得した新品基準帯電電圧Ｖ０に，Ｓ３０４にて取得した第１補正値α１を加算して，基準帯電電圧Ｖ１を取得する（Ｓ３０５）。基準帯電電圧Ｖ１は，今回の連続印刷の開始時における基準帯電電圧であり，例えば，夜間停止していたプリンタ１００の電源オン時の基準帯電電圧である。なお，（ｍ２−ｍ１）は０以上であるので，基準帯電電圧Ｖ１は，新品基準帯電電圧Ｖ０以上であり，累積印刷枚数ｍ２が多いほど大きい値である。
【００６５】
次に，プリンタ１００は，今回の連続印刷を開始してからの補正値である第２補正値α２を取得する。そのために，プリンタ１００は，連続印刷枚数ｍ１が所定枚数Ｑを超えているか否かを判断する（Ｓ３０６）。前述したように，連続印刷枚数ｍ１が所定枚数Ｑを超えているか否かによって，表面電位の変化の度合が異なるからである。
【００６６】
プリンタ１００は，連続印刷枚数ｍ１が所定枚数Ｑ以下であると判断したことに応じて（Ｓ３０６：ＮＯ），以下の（式２）によって第２補正値α２を取得する（Ｓ３０７）。
α２  ＝  ｋ１×ｍ１    …  （式２）
つまり，第２補正値α２は，連続印刷枚数ｍ１に係数ｋ１を乗算した値である。この（式２）にて，係数ｋ１は，第１の補正係数の一例である。
【００６７】
一方，プリンタ１００は，連続印刷枚数ｍ１が所定枚数Ｑを超えていると判断したことに応じて（Ｓ３０６：ＹＥＳ），以下の（式３）によって第３補正値α３を取得する（Ｓ３０８）。
α３  ＝  （ｋ１×Ｑ）  ＋  （ｋ２×（ｍ１−Ｑ））  …  （式３）
つまり，第３補正値α３は，連続印刷枚数ｍ１が所定枚数Ｑの時点における第２補正値α２に，それ以降の印刷枚数に係数ｋ２を乗算した補正値を加えた値である。この（式３）にて，係数ｋ２は，第２の補正係数の一例である。
【００６８】
そして，プリンタ１００は，基準帯電電圧Ｖ１に，Ｓ３０７にて取得した第２補正値α２またはＳ３０８にて取得した第３補正値α３のいずれか一方を加算して，補正後の帯電電圧を取得し（Ｓ３１０），帯電制御処理を終了する。
【００６９】
図６の印刷処理に戻り，プリンタ１００は，ウォームアップが完了したか否かを判断する（Ｓ２０３）。ここで，ウォームアップの完了は，定着装置８が所定の温度に到達したか否かにより判断する。ウォームアップが完了していないと判断した場合（Ｓ２０３：ＮＯ），プリンタ１００は，ウォームアップを継続する。一方，ウォームアップが完了したと判断したことに応じて（Ｓ２０３：ＹＥＳ），プリンタ１００は，Ｓ２０２の帯電制御処理にて決定した帯電電圧を帯電装置５２のグリッドに印加する（Ｓ２０５）。そして，プリンタ１００は，１枚の印刷を実行する（Ｓ２０６）。Ｓ２０６は，形成処理の一例である。
【００７０】
そして，プリンタ１００は，連続印刷枚数ｍ１をカウントアップする（Ｓ２０７）。Ｓ２０７は，カウント処理の一例である。さらに，プリンタ１００は，累積印刷枚数ｍ２をカウントアップする（Ｓ２０８）。Ｓ２０８は，累積カウント処理の一例である。そして，プリンタ１００は，Ｓ２０７とＳ２０８にてカウントアップした連続印刷枚数ｍ１と累積印刷枚数ｍ２とを，ＮＶＲＡＭ３４に記憶する（Ｓ２０９）。
【００７１】
そして，プリンタ１００は，受け付けた印刷ジョブの印刷が終了したか否かを判断する（Ｓ２１１）。終了していないと判断したことに応じて（Ｓ２１１：ＮＯ），プリンタ１００は，Ｓ２０６に戻り，同じ帯電電圧を用いてさらに１枚印刷する。なお，プリンタ１００は，印刷の進行状況や用紙の搬送状況に応じて，必要な期間のみ帯電電圧を印加する。そして，印刷ジョブが終了したと判断したことに応じて（Ｓ２１１：ＹＥＳ），プリンタ１００は，印刷処理を終了する。
【００７２】
図５の枚数監視処理に戻り，プリンタ１００は，印刷停止期間のカウントをスタートする（Ｓ１０９）。さらに，Ｓ１０３に戻って，プリンタ１００は，電源オフの入力を受け付けたか否かを判断する。そして，電源オフの入力を受け付けていないと判断したことに応じて（Ｓ１０３：ＮＯ），プリンタ１００は，印刷ジョブを受け付けたか否かを判断する（Ｓ１０５）。印刷ジョブを受け付けていないと判断したことに応じて（Ｓ１０５：ＮＯ），プリンタ１００は，Ｓ１０９にて計時を開始したカウンタに基づいて，印刷停止期間が所定期間を超えたか否かを判断する（Ｓ１１１）。
【００７３】
印刷停止期間が所定期間を超えたと判断したことに応じて（Ｓ１１１：ＹＥＳ），プリンタ１００は，連続印刷枚数ｍ１をクリアする（Ｓ１１２）。Ｓ１１２は，リセット処理の一例である。そして，プリンタ１００は，Ｓ１０３に戻って，電源オフの入力を受け付けたか否かを判断する。一方，印刷停止期間が所定期間を超えていないと判断したことに応じて（Ｓ１１１：ＮＯ），プリンタ１００は，Ｓ１０３に戻って，電源オフの入力を受け付けたか否かを判断する。
【００７４】
以上，詳細に説明したように，本形態のプリンタ１００は，印刷枚数をカウントしてＮＶＲＡＭ３４に記憶する。そして，感光体５１の目標電位に基づく基準帯電電圧と，カウントする印刷枚数に基づく補正値との加算値に基づいて，帯電電圧を設定する。印刷枚数に基づく補正値を加算することで，感光体５１の内部に存在すると推測される残留電荷の量に応じた帯電電圧が設定される。従って，残留電荷が帯電後に感光体５１の表面に到達して，感光体５１の表面電位が下がったとしても，十分な表面電位の確保が期待できる。従って，画質低下の抑制が期待できる。
【００７５】
なお，本実施の形態は単なる例示にすぎず，本発明を何ら限定するものではない。したがって本発明は当然に，その要旨を逸脱しない範囲内で種々の改良，変形が可能である。例えば，プリンタに限らず，複写機，スキャナ，ＦＡＸ等，電子写真方式の画像形成機能を備えるものであれば適用可能である。また，カラープリンタに限らず，モノクロ専用のプリンタに適用することもできる。
【００７６】
また，帯電電圧は，基準帯電電圧に補正値を加算した値に基づいて設定されればよく，その値そのものの他，例えば，環境や印刷設定等の要因に基づく他の補正値をさらに加算した値であってもよい。また，本形態にて用いた数値は，いずれも一例であり，これに限らない。感光体５１の種類，トナーの種類等に応じて適宜選択すればよい。
【００７７】
また，新品基準帯電電圧は，プロセス部５の各色で一律の値であってもよいし，色ごとに異なる値であってもよい。また，印刷量は，印刷枚数に限らず，１回のトナー像の形成で固定値が加算されるデータであってもよいし，環境や紙種に応じて加算されるポイントが異なるデータであってもよい。また，本形態では，係数ｋ１，ｋ２，ｋ３を使用して補正値を算出するとしたが，これら全てを使用するものに限らない。例えば，係数ｋ１と係数ｋ２とは，共通の係数としてもよい。
【００７８】
また，本形態では，正帯電性のトナーを使用するプリンタ１００について説明したが，負帯電性のトナーを使用するプリンタに適用することもできる。その場合には，帯電極性や残留電荷の極性が本形態とは逆極性となる。そのため，帯電電圧を補正する各補正値も，本形態の値に対して正負を逆にした値となる。
【００７９】
また，本形態では，電源オフの期間を取得しないとしたが，取得してもよい。例えば，電源オフ時に時刻を記憶するプリンタでは，電源オン時に電源オフの期間を取得可能である。その場合には，一律にクリアするＳ１０２に代えて，電源オフの期間に応じて，印刷量をクリアするか否かを判断する処理とすればよい。
【００８０】
また，本形態では，残留電荷の量に応じて，帯電装置５２のグリッド電圧を制御するとしたが，ワイヤ電流の制御によってもよい。つまり，帯電範囲に残留電荷が多いと判断される場合，グリッド電圧を大きくする代わりに，ワイヤ電流を大きくしてもよい。また，本発明は，スコロトロン方式の帯電装置に限らず，コロトロン方式の帯電装置や帯電ローラ，帯電ブラシ等による接触帯電方式の帯電装置にも適用可能である。
【００８１】
また，本形態のプリンタ１００では，感光体５１として，電荷発生剤５１３と電荷輸送剤５１４とを含む有機感光層５１２の１層構造のものとしたが，これに限らない。例えば，金属芯５１１の側から，電荷発生剤５１３を含まず電荷輸送材５１４を含む輸送層と，電荷発生剤５１３と電荷輸送剤５１４とを含む発生層と，を有する２層構造のものであってもよい。また，例えば，さらに表面層等を含む３層以上の構造であってもよい。
【００８２】
また，接触部材は，ブレード状のクリーナ５６に限らない。ただし，クリーナ５６がブレード部材であると，ローラ部材やブラシ部材によるクリーナを有するプリンタに比較して，電荷が発生しやすく，帯電範囲での残留電荷が多い傾向にある。従って，ブレード部材によるクリーナ５６を有するプリンタ１００では，本発明が特に有用である。
【００８３】
また，ジョブの実行中にも帯電電圧を制御してもよい。例えば，ジョブの実行中に装置内の温度が所定の範囲を超えて高くなったら，帯電電圧を低下させるとしてもよい。また，例えば，１枚の印刷ごとに帯電制御処理を実行してもよい。
【００８４】
また，実施の形態に開示されている処理は，単一のＣＰＵ，複数のＣＰＵ，ＡＳＩＣなどのハードウェア，またはそれらの組み合わせで実行されてもよい。また，実施の形態に開示されている処理は，その処理を実行するためのプログラムを記録した記録媒体，または方法等の種々の態様で実現することができる。
【符号の説明】
【００８５】
３１  ＣＰＵ
３４  ＮＶＲＡＭ
５１  感光体
５２  帯電装置
５３  露光装置
５４  現像装置
５５  転写装置
５６  クリーナ
１００  プリンタ
【図１】
0006543967.tif 000002
【図２】
0006543967.tif 000003
【図３】
0006543967.tif 000004
【図４】
0006543967.tif 000005
【図５】
0006543967.tif 000006
【図６】
0006543967.tif 000007
【図７】
0006543967.tif 000008
【図８】
0006543967.tif 000009
【図９】
0006543967.tif 000010